(57)【要約】 【課題】  低インダクタンス、高磁界強度を実現した磁界変調ヘッドの提供、具体的にはコイルのリード部の配置構造を簡略化した磁界変調ヘッドを提供すること。【解決手段】  コイル１０が装着される磁極部８と、この磁極部を支持する本体部６と前記コイルとの間に設置されるスペーサ１２と、このスペーサに形成されて前記コイルのリード部１６、１８を貫通させる貫通部２０とを備えた構成である。前記貫通部は、前記コイルと接触させる面部に形成された溝部３０で構成し、前記コイルのリード部を通過させる貫通孔３６で構成し、前記スペーサの厚み方向に形成された第１の溝部３１と前記本体部と接触させる面部に形成されて前記コイルのリード部１６、１８を通過させる第２の溝部３２とで構成してもよい。【選択図】        図１
2005108352.tif 000002
【特許請求の範囲】
【請求項１】
コイルが装着される磁極部と、
この磁極部を支持する本体部と前記コイルとの間に設置されるスペーサと、
このスペーサに形成されて前記コイルのリード部を貫通させる貫通部と、
を備えたことを特徴とする磁界変調ヘッド。
【請求項２】
前記貫通部は、前記コイルと接触させる面部に形成された溝部であることを特徴とする請求項１記載の磁界変調ヘッド。
【請求項３】
前記貫通部は、前記コイルのリード部を通過させる貫通孔であることを特徴とする請求項１記載の磁界変調ヘッド。
【請求項４】
前記貫通部は、前記スペーサの厚み方向に形成された第１の溝部と、前記本体部と接触させる面部に形成されて前記コイルのリード部を通過させる第２の溝部とから構成されたことを特徴とする請求項１記載の磁界変調ヘッド。
【発明の詳細な説明】
【技術分野】
【０００１】
本発明は、ＭＯやＭＤ等の光磁気記録媒体の磁気記録に用いられる磁界変調ヘッドに係り、特に、コア及びコイルの樹脂被覆、コア端面の加工処理を改善した磁界変調ヘッドに関する。
【背景技術】
【０００２】
ＭＯやＭＤ等の光磁気ディスクの磁気記録に用いられる磁界変調ヘッドでは、光磁気ディスクに摺接するスライダにコア及びコイルからなる磁気発生部が設置されている。
【０００３】
そして、光磁気ディスク等の光磁気記録媒体の単位面積あたりの記録容量、即ち、記録密度や記録速度を向上させたいという要請があり、かかる要請から磁界変調ヘッドの特性向上が求められている。
【０００４】
光磁気ディスクの高記録密度化を達成するには、磁界強度及び記録周波数を高める必要がある。記録周波数を上げるには磁界の反転時間を小さく、即ち、磁界変調ヘッドのインダクタンス値を低減（例えば、１μＨ以下に）する必要がある。
【０００５】
また、コア体積を減少するには、磁気記録面に対して断面積の小さいコアの使用が有利である。コア体積が小さくても、コア径が大きい場合には、磁界強度を増強する必要があり、磁界強度を増強するにはコイルの巻数を増加させればよいが、コイルの巻数の増加は磁界変調ヘッドのインダクタンスを増加させ、かかる方法では、光磁気ディスクの高記録密度化を達成し難い。そこで、磁界強度を増強し、かつ、磁界変調ヘッドのインダクタンスを小さくするには、磁界変調ヘッドコアの大きさを小さくし、又はディスク面と磁界変調ヘッドとの距離を近づける等の方法を採用する必要がある。
【０００６】
また、磁界変調ヘッドでは、コアに対するコイルの挿入位置で発生磁界が異なることが知られているが、例えば、図８の（Ａ）及び（Ｂ）に示すように、コア１００の磁極部１０２にコイル１０４が巻回されている。図８の（Ａ）に示すように、磁極部１０２に合わせてコイル１０４の高さｈを大きくすると、巻回数の増加によりインダクタンスが増加し、また、図８の（Ｂ）に示すように、コイル１０４の高さｈ1 を磁極部１０２の高さｈ2 より低くするとと、発生磁界が低下する。
【０００７】
そして、図９の（Ａ）及び（Ｂ）に示すように、同一のコア１００及びコイル１０４を用いた磁界変調ヘッドにおいて、コイル１０４をコア１００の先端側に配置した図９の（Ｂ）に示す磁界変調ヘッドの方が図９の（Ａ）の場合に比較し、発生磁界が強くなる。同一の発生磁界では、図９の（Ｂ）に示す磁界変調ヘッドの方が駆動電流が小さく、省電力化を図ることができる。そこで、省駆動電流、省電力化のためには、図９の（Ｂ）に示すように、コア１００の磁極部１０２の先端面とコイル１０４の縁面とを同一面とすることが望ましい。
【０００８】
ところで、省電力化等のために磁極部１０２を細くすると、機械的強度が低下し、磁極部１０２の先端面とコイル１０４の縁面とを同一面になるように、磁極部１０２にコイル１０４を取り付けることは作業上、極めて困難である。
【０００９】
この種の磁界変調ヘッドには、次のような特許文献が存在している。
【特許文献１】特開平１０─２８３６０４号公報  この特許文献１には、樹脂モールドを施すことなくコイルを固定し、このコイルからコアの突出量を必要以上に大きくする必要のない磁界変調ヘッドが開示されている。
【発明の開示】
【発明が解決しようとする課題】
【００１０】
ＭＯやＭＤ等の光磁気ディスクの磁気記録に用いられる磁界変調ヘッドにあっては、例えば、高密度、高転送レート化により光磁気記録の変調速度が１０ＭＨｚを超えて２０ＭＨｚ以上の駆動周波数を要求されており、特に、ポータブル機器の場合、電池駆動であるため、ヘッド駆動電圧も低く、磁極サイズが１００×１００（μｍ）、低インダクタンス（０．５μＨ程度）の磁界変調ヘッドが求められている。しかし、磁極が小さくなると、ヘッドクラッシュのおそれがある。
【００１１】
また、磁気ヘッドに巻回されたコイルのリード部の配置について、リード部の引回しが磁気特性を悪化させる原因になる。斯かる課題は、特許文献１に開示されておらず、その課題解決の手段について、開示も示唆もされていない。
【００１２】
そこで、本発明は、低インダクタンス、高磁界強度を実現した磁界変調ヘッドを提供することを第１の目的とする。
【００１３】
また、本発明は、コイルのリード部の配置構造を簡略化した磁界変調ヘッドを提供することを第２の目的とする。
【課題を解決するための手段】
【００１４】
上記目的を達成するため、本発明の磁界変調ヘッドは、コイル１０が装着される磁極部８と、この磁極部を支持する本体部６と前記コイルとの間に設置されるスペーサ１２と、このスペーサに形成されて前記コイルのリード部１６、１８を貫通させる貫通部２０とを備えた構成である。
【００１５】
斯かる構成とすれば、貫通部を貫通させてコイルのリード部を引き出すことができ、そのリード部をスペーサの面内に収めることができるので、スペーサとコイルとをリード部に関係なく密着させて設置することが可能となる。そこで、コア端面とコイル縁面とがスペーサによって調整され、コイル電流が同一電流値で記録用磁界強度を増大させることができるとともに、インダクタンスを低下させ、ヘッド駆動回路の設計が容易化され、製造コストの低減が図られる。
【００１６】
上記目的を達成するためには、前記貫通部は、前記コイルと接触させる面部に形成された溝部３０である構成としてもよい。
【００１７】
上記目的を達成するためには、前記貫通部は、前記コイルのリード部を通過させる貫通孔３６である構成としてもよい。
【００１８】
上記目的を達成するためには、前記貫通部は、前記スペーサの厚み方向に形成された第１の溝部３１と、前記本体部と接触させる面部に形成されて前記コイルのリード部１６、１８を通過させる第２の溝部３２とから構成してもよい。斯かる構成とすれば、コイルのリード部を磁極部の本体部側から引き出すことができるとともに、磁極部とコイルとを密着させられるので、コイルのリード部がスペーサの厚さに何ら影響を与えることがない。
【発明の効果】
【００１９】
以上説明したように、本発明によれば、コイルのリード部をスペーサの貫通部を通して引き出すことができ、リード部がスペーサの面内に収められる等、リード部の配置構造の簡略化を図ることができ、低インダクタンス化を図るとともに、高磁界強度の磁界変調ヘッドの実現に寄与することができる。
【発明を実施するための最良の形態】
【００２０】
（第１の実施形態）
本発明の第１の実施形態に係る磁界変調ヘッドについて、図１及び図２を参照して説明する。図１は磁界変調ヘッドの概要を示す断面図、図２はその分解斜視図である。
【００２１】
この磁界変調ヘッド２について、コア４は磁性材料で形成され、このコア４には、板状の本体部６に例えば、磁極部８が形成されている。この磁極部８は、その端面を例えば、正方形状とした角柱体である。この磁極部８には、コイル１０とともに、スペーサ１２が装着されている。コイル１０には、例えば、磁極部８に対応する空洞部１４を持つ空芯コイルが用いられ、このコイル１０の巻き開始部及び巻き終了部には、リード部１６、１８が引き出されている。
【００２２】
また、スペーサ１２は、例えば、ナイロン等の非磁性材料で形成された矩形環状体であって、コイル１０と相似形である。このスペーサ１２にはリード部１６、１８を個別に引き出すための貫通部２０が形成され、この実施形態では、貫通部２０からスペーサ１２の左右にリード部１６、１８が振り分けられて引き出されている。そして、このスペーサ１２には角柱形状の磁極部８に対応して矩形の透孔部２１が形成され、この透孔部２１の内壁面に磁極部８の外壁部が密着可能な構成である。この場合、透孔部２１の上部開口部にはコイル１０の下面側から引き出されているリード部１６、１８を１回ターンだけ引き回すための空間部２８が段部によって形成されている。そして、この空間部２８に連続して複数の溝部３０が井桁状に形成されて貫通部２０が構成されている。この実施形態では、透孔部２１の形状に対応するとともに、空間部２８を延長する形態で、透孔部２１の縁を延長して８本の溝部３０が透孔部２１からスペーサ１２の各側壁側に直線状に形成されている。
【００２３】
この実施形態ではコア４に形成された磁極部８の基部側にスペーサ１２を装着して本体部６の上面に載せた後、その上にコイル１０が装着され、図示しない樹脂等によって固定されている。この場合、リード部１６、１８は貫通部２０に収められて引き出され、スペーサ１２の面内に設置されているため、コイル１０とスペーサ１２とが密着状態に構成されている。このため、コア４の上面からの磁極部８の高さをｈｍ、コイル１０の高さをｈｃ、スペーサ１２の高さをｈｓとすれば、
ｈｍ＝ｈｃ＋ｈｓ                        ・・・・(1) 
となり、この実施形態では、磁極部８のコア端面２２とコイル縁面２４とが一致している。即ち、ｈｍ＞ｈｃとなる関係にあるとすれば、式(1) からｈｍ−ｈｃ＝ｈｓとなり、スペーサ１２の高さｈｓにより、磁極部８の高さｈｍに対し、コイル縁面２４の高さ（ｈｃ＋ｈｓ）を任意に調整でき、コア端面２２にコイル縁面２４を近づけ又は一致させることができる。そして、この実施形態では、コイル１０の高さｈｃは、磁極部８の高さｈｍの５０％以下に設定されている。
【００２４】
斯かる構成を備えた磁界変調ヘッド２によれば、従来の磁界変調ヘッドと同様の巻数のコイルを用いて同一のコイル電流値であっても、磁極部８のコア端面２２から得られる記録用磁界強度が増大し、コイル１０等のインダクタンスを低下させることができ、ヘッド駆動回路の設計が容易になる。
【００２５】
斯かる構成において、コイル１０から引き出されたリード部１６、１８は、スペーサ１２の空間部２８に載置された後、何れかの溝部３０からスペーサ１２の外部に引き出される。しかも、リード部１６、１８は、空間部２８に収納されるとともに、溝部３０内に設置されてスペーサ１２の面内に収納、隠蔽されている。このため、リード部１６、１８の引出し構造の簡略化を図ることができるとともに、スペーサ１２とコイル１０とを密着させ、リード部１６、１８の引出しのための厚み方向の処理が簡略化される。
【００２６】
また、スペーサ１２の貫通部２０の形態について、図２に示す井桁状から図３の（Ａ）に示すように、平行２本の溝部３０で構成してもよく、また、図３の（Ｂ）に示すように、透孔部２１の一縁部側から２本の溝部３０を平行にスペーサ１２の一縁部に形成しても同様の効果が期待できる。
【００２７】
（第２の実施形態）
本発明の第２の実施形態に係る磁界変調ヘッドについて、図４を参照して説明する。
【００２８】
図４に示すように、スペーサ１２の透孔部２１に沿って第１の溝部３１、スペーサ１２の下面側に第２の溝部３２を形成してリード部１６、１８の貫通部２０を構成してもよい。斯かる構成とすれば、コイル１０の空洞部１４側から引き出されたリード部１６、１８を磁極部８に沿って溝部３１からスペーサ１２の下面側に導き、溝部３２からスペーサ１２の外に引き出すことができ、前記実施形態と同様の効果が得られる。
【００２９】
（第３の実施形態）
本発明の第３の実施形態に係る磁界変調ヘッドについて、図５及び図６を参照して説明する。図５は磁界変調ヘッドの概要を示す断面図、図６はスペーサ１２の斜視図である。
【００３０】
図５に示すように、スペーサ１２の透孔部２１に沿って溝部３４を形成するとともに、スペーサ１２内に貫通孔３６をその側壁部から透孔部２１に貫通させて形成し、リード部１６、１８の貫通部２０を構成してもよい。斯かる構成とすれば、コイル１０の空洞部１４側から引き出されたリード部１６、１８を磁極部８に沿って溝部３４からスペーサ１２内に導き、貫通孔３６からスペーサ１２の外に引き出すことができ、前記実施形態と同様の効果が得られる。
【００３１】
次に、本発明に係る磁界変調ヘッドの実験結果を表１を参照して説明する。表１は、測定条件を示している。
【００３２】
【表１】
2005108352.tif 000003
このような測定条件により測定された従来品と本発明品との磁界強度について、図７を参照して説明する。図７は磁界分布を示し、磁極に対する磁界強度を表している。図７において、Ａは本発明品の特性、Ｂは従来品である。本発明品の磁界強度は、従来品に比較し、大幅に増強されていることが分かる。
【００３３】
そして、実施形態のように、コイル１０の高さｈｃを磁極部８の高さｈｍの５０％以下に設定すれば、インダクタンスを低下させ、必要な磁界強度が得られることが実験により確認された。
【００３４】
なお、実施形態では光磁気ディスク等の光磁気記録媒体の磁気記録用の磁界変調ヘッドを例に取って説明したが、本発明は、各種の磁気ヘッドに適用できるものであり、実施形態に限定されるものではない。
【産業上の利用可能性】
【００３５】
本発明の磁界変調ヘッドは、コイル縁面とコア端面との高さ調整に用いられるスペーサに貫通部を設けてコイルのリード部の引出し構造を実現したことにより、磁界変調ヘッドの特性の向上とともに、構成の簡略化等を図ることができ、有用である。
【図面の簡単な説明】
【００３６】
【図１】本発明の第１の実施形態に係る磁界変調ヘッドを示す断面図である。
【図２】第１の実施形態に係る磁界変調ヘッドを示す分解斜視図である。
【図３】スペーサの変形例を示す斜視図である。
【図４】本発明の第２の実施形態に係る磁界変調ヘッドを示す断面図である。
【図５】本発明の第３の実施形態に係る磁界変調ヘッドを示す断面図である。
【図６】第３の実施形態に係る磁界変調ヘッドのスペーサを示す斜視図である。
【図７】本発明品と従来品の磁界分布を示す図である。
【図８】磁界変調ヘッドを示し、（Ａ）はコア端面とコイル縁面とを一致させた状態を示す図、（Ｂ）はコイル縁面よりコア端面を露出させた状態を示す図である。
【図９】磁界変調ヘッドを示し、（Ａ）はコアの中間部にコイルを設置した状態を示す図、（Ｂ）はコアの先端側にコイルを設置した状態を示す図である。
【符号の説明】
【００３７】
２  磁界変調ヘッド
４  コア
６  本体部
８  磁極部
１０  コイル
１２  スペーサ
１６、１８  リード部
２０  貫通部
３０  溝部
３１  第１の溝部
３２  第２の溝部
３６  貫通孔
【図１】
2005108352.tif 000004
【図２】
2005108352.tif 000005
【図３】
2005108352.tif 000006
【図４】
2005108352.tif 000007
【図５】
2005108352.tif 000008
【図６】
2005108352.tif 000009
【図７】
2005108352.tif 000010
【図８】
2005108352.tif 000011
【図９】
2005108352.tif 000012